(57)【要約】【課題】放送受信装置が用いられる地域に応じて、画質調整等の設定を最適な状態に容易に行えるようにする。【解決手段】映像信号処理部２１は画質調整等を行う。音声信号処理部３１は音質調整等を行う。制御部４１は、ユーザインタフェース部４３から供給された操作信号ＰＳに基づき、ユーザによって地域が選択されたことを判別したとき、この選択された地域に対応させて映像信号処理部２１で行う画質調整や音声信号処理部３１は音質調整の設定を行う。このため、画質調整や音質調整の設定が選択された地域に対応させて自動的に行われることになり、放送コンテンツ等の提示をその地域に適した状態で容易に行える。【選択図】        図１
2008306483.tif 000002
【特許請求の範囲】
【請求項１】
選択された地域に応じたチャンネルプリセットを行うことができる放送受信装置において、
画質調整を行う映像信号処理部と、
前記映像信号処理部の動作を制御する制御部と、
前記地域を選択するためのユーザインタフェース部を備え、
前記制御部は、前記ユーザインタフェース部を介して前記地域の選択が行われたとき、該選択された地域に対応させて前記映像信号処理部で行う画質調整の設定を行う
ことを特徴とする放送受信装置。
【請求項２】
画質設定の設定情報を地域毎に記憶したメモリ部を設け、
前記制御部は、前記選択された地域に対応する設定情報を前記メモリ部から読み出して、該読み出した設定情報に基づき前記画質調整の設定を行う
ことを特徴とする請求項１記載の放送受信装置。
【請求項３】
前記制御部は、前記選択された地域に対応させて前記画質調整の調整範囲を切り換える
ことを特徴とする請求項１記載の放送受信装置。
【請求項４】
前記制御部は、初期設定時に地域選択メニュー表示を行い、該地域選択メニュー表示から地域の選択を行えるようにした
ことを特徴とする請求項１記載の放送受信装置。
【請求項５】
前記映像信号処理部はノイズ除去を行うものとし、
前記制御部は、前記選択された地域に対応させてノイズ除去特性を設定する
ことを特徴とする請求項１記載の放送受信装置。
【請求項６】
音質調整を行う音声信号処理部を設け、
前記制御部は、前記選択された地域に対応させて前記音声信号処理部で行う音質調整の設定を行う
ことを特徴とする請求項１記載の放送受信装置。
【請求項７】
音質設定の設定情報を地域毎に記憶したメモリ部を設け、
前記制御部は、前記選択された地域に対応する設定情報を前記メモリ部から読み出して、該読み出した設定情報に基づき前記音質調整の設定を行う
ことを特徴とする請求項６記載の放送受信装置。
【請求項８】
前記制御部は、前記選択された地域に対応させて前記音質調整の調整範囲を切り換える
ことを特徴とする請求項６記載の放送受信装置。
【請求項９】
選択された地域に応じたチャンネルプリセットを行うことができる放送受信装置の動作設定方法において、
前記放送受信装置の動作設定を行う制御部には、
ユーザによって選択された地域を判別するステップと、
前記選択された地域に対応させて、前記信号処理動作で行う画質調整の設定を行うステップを設けた
ことを特徴とする動作設定方法。
【発明の詳細な説明】
【技術分野】
【０００１】
この発明は、放送受信装置とコンテンツ再生方法に関する。詳しくは、選択された地域に対応させて画質調整等の設定を行うことで、放送コンテンツ等の視聴をその地域に適した状態で行えるようにするものである。
【背景技術】
【０００２】
従来の放送受信装置では、様々な放送方式のテレビジョン放送の受信が可能とされており、特許文献１においては、放送方式の種類に応じて、ゴーストリダクション処理やＹ／Ｃ分離処理、ノイズリダクション処理等を行うことで、映像データを十分に高画質で表示可能とした電子機器が開示されている。
【０００３】
また、特許文献２においては、出荷先に応じてそれぞれのメニュー画面で表記される処理項目を出荷後に変更可能とする電気機器が開示されている。
【０００４】
【特許文献１】特開２００６−３３７３９号公報
【特許文献２】特開２００６−４０１４号公報
【発明の開示】
【発明が解決しようとする課題】
【０００５】
ところで、放送受信装置例えばテレビジョン受信装置では、画質や音質の設定が平均値あるいは一部の地域で最適となるように予め設定されている。しかし、テレビジョン放送では、放送方式が同じであっても、放送が行われている地域（国）により、絵作りの違いや放送信号の質の違いが生じている。例えば国によっては、鮮鋭度の低下したような絵作りが行われていたり、ノイズ成分が多く質の低下している放送信号の送信等が行われている場合がある。また、視聴者の嗜好の違い等も生じている。例えば白色人種が多くを占める国では、肌の色が青色あるいは赤色に表示されないように、彩度を抑えた設定とすることが好ましい。しかし、初期設定時に画質や音質等の設定が予め共通した設定状態とされると、最適な画質や音質で放送コンテンツを再生することができない地域（国）が生じてしまう。
【０００６】
また、テレビジョン受信装置では、メニュー画面が設けられており、このメニュー画面を利用して、種々の設定の変更等が可能とされている。このため、画質や音質の設定が最適に予め設定されていなくとも、メニュー画面を利用すれば画質や音質の設定を変更できる。しかし、画質や音質の設定を最適な状態とするためには、メニュー画面を利用して設定を変更する操作を改めて行わなければならないため、テレビジョン受信装置の動作を容易に最適化することができない。
【０００７】
そこで、この発明では、放送受信装置が用いられる地域に応じて、画質調整等の設定を最適な状態に容易に行えるようにするものである。
【課題を解決するための手段】
【０００８】
この発明の概念は、放送受信装置が使用される地域に応じて画質調整等の設定を行うことにより、放送コンテンツ等の提示をその地域に適した状態で行えるようにすることにある。
【０００９】
この発明における放送受信装置は、選択された地域に応じたチャンネルプリセットを行うことができる放送受信装置において、画質調整を行う映像信号処理部と、映像信号処理部の動作を制御する制御部と、地域を選択するためのユーザインタフェース部を備え、制御部は、ユーザインタフェース部を介して地域の選択が行われたとき、該選択された地域に対応させて映像信号処理部で行う画質調整の設定を行うものである。
【００１０】
また、この発明における動作設定方法は、選択された地域に応じたチャンネルプリセットを行うことができる放送受信装置の動作設定方法において、放送受信装置の動作設定を行う制御部には、ユーザによって選択された地域を判別するステップと、選択された地域に対応させて、信号処理動作で行う画質調整の設定を行うステップを設けたものである。
【発明の効果】
【００１１】
この発明によれば、ユーザによって選択された地域が判別されて、この選択された地域に対応させて画質調整の設定が行われる。このため、画質調整の設定が選択された地域に対応させて自動的に行われることになり、放送コンテンツ等の提示をその地域に適した状態で容易に行えるようになる。
【発明を実施するための最良の形態】
【００１２】
以下、図を参照しながら、この発明の実施の一形態について説明する。図１は、この発明に係る放送受信装置、例えばテレビジョン受信装置の構成を示している。
【００１３】
テレビジョン受信装置１０のチューナ１１は、後述する制御部４１からの選局制御信号ＣＴtuに基づき、アナログやディジタルの地上波放送や衛星放送から所望のチャンネルを選局して、放送番組の映像信号ＳＶtuや音声信号ＳＡtuを入力切換部１３に供給する。
【００１４】
入力端子１２は、映像コンテンツや音声コンテンツの再生等を行う外部機器を接続するためのものであり、外部機器から入力された映像信号ＳＶexや音声信号ＳＡexは、入力切換部１３に供給される。
【００１５】
入力切換部１３は、制御部４１からの選択制御信号ＣＴseに基づき、チューナ１１から供給された映像信号ＳＶtuや音声信号ＳＡtu、または外部機器から入力された映像信号ＳＶexや音声信号ＳＡexを選択して、選択した映像信号ＳＶaを映像信号処理部２１、選択した音声信号ＳＡaを音声信号処理部３１にそれぞれ供給する。
【００１６】
映像信号処理部２１は、制御部４１からの映像制御信号ＣＴvに基づき、入力切換部１３で選択された映像信号ＳＶaに対して画質調整を行い、画質調整後の映像信号ＳＶbを表示重畳部２２に供給する。この映像信号処理部２１は、画質調整としてコントラスト調整、ノイズリダクション処理、明るさ調整、色調整(色相、彩度調整)等を必要に応じて行う。また、映像信号処理部２１は、画質調整だけでなく、例えばインターレース方式の映像信号をプログレッシブ方式の映像信号に変換するＩ／Ｐ変換処理、後述する表示部２４の解像度に合わせて水平及び垂直方向の画素数を調整するスケーリング処理、映像信号のフレームレート変換処理、ガンマ補正等も必要に応じて行う。
【００１７】
表示重畳部２２は、制御部４１からのオンスクリーン制御信号ＣＴoscに基づき、映像信号処理部２１から出力された映像信号ＳＶbにメニュー表示等の表示信号を多重化して、映像信号ＳＶcとして表示駆動部２３に供給する。
【００１８】
表示駆動部２３には、例えばＰＤＰ(Plasma Display Panel)、ＬＣＤ(Liquid Crystal Display)、ＦＥＤ(Field Emission Display)、有機ＥＬ(Electro Luminescence)等のフラットパネルディスプレイデバイスや陰極線管を用いて構成された表示部２４が接続されている。表示駆動部２３は、表示重畳部２２から供給された映像信号ＳＶcに基づき、駆動信号ＤＲvを生成して表示部２４に供給することで、表示部２４の画面上に放送コンテンツや外部機器で再生されたコンテンツの映像を表示する。また、種々のメニュー表示等を行う。
【００１９】
入力切換部１３で選択された音声信号ＳＡaが供給された音声信号処理部３１は、音質調整や音量調整を行い、調整処理後の音声信号ＳＡbを音声信号出力部３２に供給する。音声信号出力部３２には、スピーカ３３が接続されており、音声信号処理部３１から供給された音声信号ＳＡbに基づき音声出力信号ＳＡcを生成して、この音声出力信号ＳＡcによってスピーカ３３を駆動して放送コンテンツや外部機器で再生されたコンテンツの音声を出力する。
【００２０】
制御部４１には、メモリ４２やユーザインタフェース部４３が接続されている。メモリ４２には、テレビジョン受信装置を動作させるためのプログラム、種々の設定情報等が記憶されている。また、ユーザインタフェース部４３は操作キーやリモートコントロール信号受信部等で構成されており、ユーザ操作に応じた操作信号ＰＳを生成して制御部４１に供給する。
【００２１】
制御部４１は、メモリ４２から読み出したプログラムを実行して、操作信号ＰＳに基づき種々の制御信号、例えば選局制御信号ＣＴtuや選択制御信号ＣＴse、映像制御信号ＣＴv、音声制御信号ＣＴa、オンスクリーン制御信号ＣＴoscの供給を行うことで、ユーザ操作に応じてテレビジョン受信装置の動作を切り換える。例えば、制御部４１は、ユーザによって選択された地域に応じたチャンネルプリセットを行い、プリセット情報を生成してメモリ４２に記憶させておき、操作信号ＰＳによってチャンネル切り換え操作が行われたことを判別したときは、プリセット情報に登録されたチャンネルを順に切り替えるように選局制御信号ＣＴtuを生成する。このようにして、ユーザによって選択された地域で視聴可能な放送番組を順次切り換え可能とする。
【００２２】
また、制御部４１は、メモリ４２に記憶されている種々の設定情報を読み出して、上述の各制御信号を生成することで各部の設定を行う。例えば、テレビジョン受信装置の動作終了時にチューナ１１で選局されていたチャンネルを記憶させておき、再度テレビジョン受信装置の動作が行われたときには、記憶されているチャンネルを自動的に選局させる。また、動作終了時に入力切換部１３で選択されていた信号を、再度テレビジョン受信装置の動作が行われたとき自動的に選択させる動作、所謂ラストチャンネルメモリ動作を行う。さらに、画質調整や音質調整等の設定状態を記憶しておき、テレビジョン受信装置の動作が行われたときには、記憶されている設定状態で、画質調整や音質調整等を行わせる。
【００２３】
このように構成されたテレビジョン受信装置では、テレビジョン受信装置が用いられる地域の選択が行われたとき、放送コンテンツ等の提示をその地域に適した状態で行えるように画質調整や音質調整等の設定を自動的に行う。
【００２４】
次に、テレビジョン受信装置の動作について説明する。図２は、テレビジョン受信装置をユーザが購入して最初に動作させたときに行われる初期設定動作を示している。
【００２５】
ステップＳＴ１で制御部４１は言語選択メニュー表示を行う。制御部４１は、表示重畳部２２を制御して言語選択メニュー表示の表示信号を生成させて、この表示信号を映像信号ＳＶcとして表示駆動部２３に供給させる。図３は、言語選択メニュー表示の表示画面を例示している。画面上には、選択可能な言語を示すボタン表示ＢＰが設けられており、候補として指定されている言語のボタン表示ＢＰs（以下「選択言語ボタン表示」という）は、他の言語のボタン表示と識別可能に表示される。
【００２６】
ステップＳＴ２で制御部４１は、言語の選択がなされたか否かを判別する。ここで、言語の選択が行われていないときはステップＳＴ２に戻り、言語の選択が行われたときはステップＳＴ３に進む。制御部４１は、候補として指定されている言語の切り換え操作が行われたことを操作信号ＰＳに基づいて判別したとき、図３に示す選択言語ボタン表示ＢＰsの切り換えを行い、新たな言語を示すボタン表示を選択言語ボタン表示ＢＰsとする。また、制御部４１は、言語決定操作が行われたことを操作信号ＰＳに基づいて判別したとき、選択言語ボタン表示ＢＰsに関係付けられている言語を使用言語として設定する。このように言語の設定が行われると、制御部４１は、その後のメニュー表示や種々の設定表示等を選択された言語で行う。
【００２７】
ステップＳＴ３で制御部４１は地域選択メニュー表示を行う。制御部４１は、表示重畳部２２を制御して地域選択メニュー表示の表示信号を生成させて、この表示信号を映像信号ＳＶcとして表示駆動部２３に供給させる。図４は、地域選択メニュー表示の表示画面を例示している。画面上には、選択可能な地域として国名を示すボタン表示ＢＱが設けられており、候補として指定されている国名のボタン表示ＢＱs（以下「選択国ボタン表示」という）は、他の国名のボタンと識別可能に表示される。
【００２８】
ステップＳＴ４で制御部４１は、地域の選択がなされたか否かを判別する。ここで、地域の選択が行われていないときはステップＳＴ４に戻り、地域の選択が行われたときはステップＳＴ５に進む。制御部４１は、候補として指定されている国名の切り換え操作が行われたことを操作信号ＰＳに基づいて判別したとき、図４に示す選択国ボタン表示ＢＱsの切り換えを行い、新たな国名のボタン表示を選択国ボタン表示ＢＱsとする。また、制御部４１は、地域選択操作が行われたことを操作信号ＰＳに基づいて判別したとき、選択国ボタン表示ＢＱsに関係付けられている国を、テレビジョン受信装置が用いられる地域として選択する。
【００２９】
ステップＳＴ５で制御部４１は設定情報の読み出しを行う。ここで、メモリ４２には、図５に示すように、テレビジョン受信装置が用いられる地域と、地域に対応する設定情報例えば画質設定情報と音質設定情報を示したテーブルが予め記憶されている。制御部４１は、ステップＳＴ４で選択された地域に対応する設定情報を読み出してステップＳＴ６に進む。例えばステップＳＴ４で選択された国が「ＲＧ1」であるとき、制御部４１は、画質設定情報「ＣＶ-a」と音質設定情報を「ＣＡ-a」を読み出す。また、ステップＳＴ４で選択された国が「ＲＧ3」であるとき、制御部４１は、画質設定情報「ＣＶ-c」、音質設定情報「ＣＡ-b」を読み出す。
【００３０】
ステップＳＴ６で制御部４１は画質・音質設定を行う。制御部４１はステップＳＴ５で読み出した設定情報に基づき映像信号処理部２１で行われる画質調整と音声信号処理部３１で行われる音質調整の設定を行う。
【００３１】
図６は画質設定と音質設定の設定内容を例示したものであり、バックライトの最大調整範囲は「０（暗）〜１０（明）」、コントラストの最大調整範囲は「０（明暗差小）〜１００（明暗差大）」、ブライトネスの最大調整範囲は「０（暗）〜１００（明）」、低音の最大調整範囲は「−１０（弱）〜＋１０（強）」、高音の最大調整範囲は「−１０（弱）〜＋１０（強）」等とされているものとする。
【００３２】
ここで、ステップＳＴ４で選択された国が「ＲＧ1」であるときに読み出された画質設定情報「ＣＶ-a」では、バックライトを「８」、コントラストを「８０」、ブライトネスを「５０」等とすることが示されている。したがって、制御部４１は画質設定情報「ＣＶ-a」で示された画質調整が行われるように映像信号処理部２１の動作設定を行う。また、読み出された音質設定情報「ＣＡ-a」では、低音を「＋２」、高音を「−２」等とすることが示されている。したがって、制御部４１は音質設定情報「ＣＡ-a」で示された音質調整が行われるように音声信号処理部３１の動作設定を行う。
【００３３】
同様に、ステップＳＴ４で選択された国が「ＲＧ3」であるときに読み出された画質設定情報「ＣＶ-c」では、バックライトを「１０」、コントラストを「８０」、ブライトネスを「６０」等とすることが示されている。したがって、制御部４１は画質設定情報「ＣＶ-c」で示された画質調整が行われるように映像信号処理部２１の動作設定を行う。また、読み出された音質設定情報「ＣＡ-b」では、低音を「０」、高音を「０」等とすることが示されている。したがって、制御部４１は音質設定情報「ＣＡ-b」で示された音質調整が行われるように音声信号処理部３１の動作設定を行う。
【００３４】
ステップＳＴ７で制御部４１は、オートプリセット（オートチューニング）選択メニュー表示を行う。制御部４１は、表示重畳部２２を制御してオートプリセット選択メニュー表示の表示信号を生成させて、この表示信号を映像信号ＳＶcとして表示駆動部２３に供給させる。図７は、オートプリセット選択メニュー表示の表示画面を例示している。画面上には、オートプリセット動作を選択するためのボタン表示ＢＲaと、オートプリセット動作を選択しないものとするボタン表示ＢＲbが設けられている。
【００３５】
ステップＳＴ８で制御部４１は、オートプリセット動作が選択されたか否かを判別する。制御部４１は、オートプリセット動作を選択するためのボタン表示ＢＲaの選択操作が行われたことを操作信号ＰＳに基づいて判別したときステップＳＴ９に進み、オートプリセット動作を選択しないものとするボタン表示ＢＲbの選択操作が行われたことを操作信号ＰＳに基づいて判別したとき、初期設定を終了する。
【００３６】
ステップＳＴ９で制御部４１はオートプリセット動作を行う。制御部４１は、ステップＳＴ４で選択された地域に応じたチャンネルプリセットを行い、受信可能なチャンネルを自動的に検出して、検出したチャンネルや検出したチャンネルを選局するための情報等をプリセット情報としてメモリ４２に記憶させる。このようにプリセット情報をメモリ４２に記憶させて、このプリセット情報を用いることでユーザが容易に所望のチャンネルを選局できるようにして初期設定を終了する。
【００３７】
このように、テレビジョン受信装置では、ユーザの選択した地域に対応させて画質設定や音質設定が自動的に行われる。このため、使用される地域に応じて画質調整や音質調整を個々に設定し直すことなく、画質調整や音質調整を最適な状態に容易に設定できる。
【００３８】
このため、白色人種が多くを占める国を選択したときには、自動的に彩度を抑えた設定にすることが可能となるので、初期設定でこのような地域を選択することにより、肌の色が青色あるいは赤色に表示されてしまうことを容易に防止することができる。また、放送番組の音声で周波数特性が異なるものとされていても、選択された地域に応じて高音や低音のレベル調整等が自動的に行われることから、聞き取りやすい周波数特性で音声を出力させることができる。
【００３９】
ところで、画質設定等では、バックライト，コントラスト，ブライトネス等のように、ユーザがメニュー表示を利用して設定を変更できる項目だけでなく、メニュー表示では表示されることのない設定項目を、選択した地域に対応させて設定するようにしてもよい。
例えば、テレビジョン受信装置におけるノイズ除去特性を切り換え可能として、ノイズ除去特性を地域に応じて自動的に切り換えるものとしてもよい。この場合、映像信号処理部にノイズ除去フィルタを設け、このノイズ除去フィルタは、フィルタの強度や遮断周波数等の設定を切り換え可能に構成する。
【００４０】
ここで、選択した地域で受信可能な放送信号を送信する放送局でノイズが多く重畳された放送信号の送信が行われる場合や、放送局から送信される放送信号の信号レベルが小さくノイズが重畳しやすい場合、放送局で用いる映像信号の方式がノイズの多い方式であるような場合、制御部４１は、このような地域が選択されたとき、ノイズ除去が強くなるようにノイズ除去特性を設定して、ノイズの少ない映像表示が行われるようにする。また、選択した地域で受信可能な放送信号を送信する放送局でノイズの少ない放送信号の送信が行われる場合や、放送局から送信される放送信号の信号レベルが大きくノイズの影響を受けにくい場合、放送局で用いる映像信号の方式がノイズの少ない方式であるような場合、制御部４１は、このような地域が選択されたとき、ノイズ除去が弱くなるようにノイズ除去特性を設定して、ノイズ除去による画質の低下を防止する。このようにすれば、ユーザによる設定の変更を行うことができない設定項目でも、地域に応じた最適な設定状態とすることができる。
【００４１】
さらに、地域に対応させて画質設定や音質設定が自動的に行われたとき、調整範囲を地域に応じて切り換えるものとしてもよい。ここで、調整範囲を地域に応じて切り換えるものとする場合、テレビジョン受信装置では、初期設定により地域に対応させて画質設定や音質設定が行われたときの状態を標準状態として、この標準状態を基準として調整範囲を設定する。
【００４２】
図８は、調整範囲を示している。例えば地域「ＲＧ1」に対する画質設定「ＣＶ-a」においてブライトネスが「５０」である場合、ブライトネス「５０」をセンター値として調整範囲を設定する。同様に、地域「ＲＧ2」に対する画質設定「ＣＶ-b」においてブライトネスが「４０」である場合、ブライトネス「４０」をセンター値として調整範囲を設定する。さらに、地域「ＲＧ3」に対する画質設定「ＣＶ-c」においてブライトネスが「６０」である場合、ブライトネス「６０」をセンター値として調整範囲を設定する。なお、他の調整項目はブライトネスと等しい調整範囲としてもよく、また調整項目毎に異なるものとしてもよい。
【００４３】
このようにすれば、選択された地域に応じて調整範囲のセンター値が切り換えられることとなり、ユーザは選択された地域に応じて設定された状態を基準として設定を調整できる。また、地域に応じて調整範囲を設定することで、地域によって不必要に調整範囲が広くなってしまうことを防止できる。
【００４４】
また、ノイズ除去特性をユーザが切り換え可能とする場合、例えばノイズ除去の効果を「ＯＦＦ」、「弱」、「中」、「強」の４段階に切り換え可能とする場合、選択された地域に応じて設定を、「ＯＦＦ」、「弱」、「中」、「強」のいずれかに切り換えるだけでなく、同じ設定でもノイズ除去特性が選択された地域に応じて異なるようにしてもよい。例えばノイズ除去特性を「中」に設定して、ノイズ除去特性を「中」に設定しても、放送信号のノイズが大きい地域ではノイズ除去を強く行い、放送信号のノイズが少ない地域ではノイズ除去が弱くなるように設定する。このようにすれば、選択された地域に対応させてノイズ除去特性の切り換えが可能となる。このため、放送信号のノイズが大きい地域が選択されたときにノイズ除去特性が「強」に設定されて、ユーザがノイズ除去をさらに強くすることができなくなってしまうことを防止できる。
【００４５】
なお、上述の実施の形態では、テレビジョン受信装置について説明したが、放送受信装置はセットトップボックス等であってもよい。この場合、セットトップボックスとモニタ装置を接続して、モニタ装置の画面上に上述のようなメニュー表示を行うものとして地域の選択をユーザが行えるようにしたり、セットトップボックスの表示部に地域を示す情報の入力表示等を設けて地域情報を入力するようにする。
【００４６】
また、上述の実施の形態では、メモリ４２に地域毎の設定情報を記憶しておき、選択された地域に対応する設定情報をメモリ４２から読み出して画質調整や音質調整の設定を行うものとしたが、映像信号処理部２１や音声信号処理部３１に予め複数の設定を設けており、制御部４１は映像信号処理部２１や音声信号処理部３１に予め登録されている複数の設定から選択された地域に対応する設定を指定するようにしても、同様の効果を得ることができる。
【図面の簡単な説明】
【００４７】
【図１】テレビジョン受信装置の構成を示す図である。
【図２】初期設定動作を示すフローチャートである。
【図３】言語選択メニュー表示画面を示す図である。
【図４】地域選択メニュー表示画面を示す図である。
【図５】画質・音質設定テーブルを示す図である。
【図６】画質設定と音質設定の設定内容を示す図である。
【図７】オートプリセットメニュー表示画面を示す図である。
【図８】調整範囲を説明するための図である。
【符号の説明】
【００４８】
１０・・・テレビジョン受信装置、１１・・・チューナ、１２・・・入力端子、１３・・・入力切換部、２１・・・映像信号処理部、２２・・・表示重畳部、２３・・・表示駆動部、２４・・・表示部、３１・・・音声信号処理部、３２・・・音声信号出力部、３３・・・スピーカ、４１・・・制御部、４２・・・メモリ、４３・・・ユーザインタフェース部
【図１】
2008306483.tif 000003
【図２】
2008306483.tif 000004
【図３】
2008306483.tif 000005
【図４】
2008306483.tif 000006
【図５】
2008306483.tif 000007
【図６】
2008306483.tif 000008
【図７】
2008306483.tif 000009
【図８】
2008306483.tif 000010